(57)【特許請求の範囲】
【請求項１】
操作対象となる複数の機能を表示する表示部と、
前記表示部に表示された複数の前記機能のうちの少なくともいずれか一つをユーザーに選択させる選択部と、
前記選択部による前記機能の選択と共に、前記ユーザーの指を押下させる押下部と、
前記押下部により押下された前記ユーザーの指から指紋の情報を読み取る指紋情報読み取り部と、
前記指紋情報読み取り部により読み取られた前記指紋の情報から、前記機能の操作が許可されたユーザーか否かを判断する判断部と、
前記判断部により、前記機能の操作が許可されたユーザーであると判断されれば、前記選択部により選択された前記機能の操作を許可するよう制御する制御部と、
前記判断部により、前記機能の操作が許可されたユーザーでないと判断されれば、その旨を報知すると共に、前記機能の操作が許可されているユーザーの名前を報知する報知部とを備える、機能選択装置。
【請求項２】
前記ユーザーの指紋の情報を格納する格納部を備え、
前記判断部は、前記指紋情報読み取り部により読み取られた前記指紋の情報と前記格納部に格納された前記指紋の情報とが一致するか否かにより前記機能が許可されたユーザーか否かを判断する、請求項１に記載の機能選択装置。
【請求項３】
前記表示部は、表示された前記機能に該当する領域をタッチさせて前記機能を選択させるタッチパネルを備え、
前記タッチパネルは、前記選択部、前記押下部、および前記指紋情報読み取り部を含む、請求項１または２に記載の機能選択装置。
【請求項４】
前記表示部は、複数の前記機能を異なる領域に分けて表示する、請求項１〜３のいずれか１項に記載の機能選択装置。
【請求項５】
画像を処理する画像処理部と、
前記画像処理部による操作対象となる複数の機能を表示する表示部と、
前記表示部に表示された複数の前記機能のうちの少なくともいずれか一つをユーザーに選択させる選択部と、
前記選択部による前記機能の選択と共に、前記ユーザーの指を押下させる押下部と、
前記押下部により押下された前記ユーザーの指から指紋の情報を読み取る指紋情報読み取り部と、
前記指紋情報読み取り部により読み取った前記指紋の情報から、前記機能の操作が許可されたユーザーか否かを判断する判断部と、
前記判断部により、前記機能の操作が許可されたユーザーであると判断されれば、前記選択部により選択された前記機能の操作を許可するよう制御する制御部と、
前記判断部により、前記機能の操作が許可されたユーザーでないと判断されれば、その旨を報知すると共に、前記機能の操作が許可されているユーザーの名前を報知する報知部とを備える、画像処理装置。
【発明の詳細な説明】
【技術分野】
【０００１】
この発明は、機能選択装置、および画像処理装置に関するものである。
【背景技術】
【０００２】
デジタル複合機等に代表される画像処理装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナー等の現像剤を供給して可視画像とした後、用紙に転写して定着させて印刷し、装置外に排出する。
【０００３】
画像処理装置においては、コピー機能、スキャン機能等、各種の機能を選択して処理を行うことができる。機能の内容によっては、許可されているユーザーによってのみ、使用することができる。ここで、機能が許可されているか否かについて、ユーザーの認証を行う場合がある。例えば、いわゆるログイン画面を表示し、ユーザー名、およびパスワードを入力させる。入力されたユーザー名、およびパスワードについて、ユーザーの認証に成功すれば、所定の機能を使用することを許可することとしている。
【０００４】
ここで、タッチパネルによる操作に対し、ログインしたユーザーであるか否かを認証する操作処理装置に関する技術が、特開２００９−１３４６３８号公報（特許文献１）に開示されている。特許文献１に開示の操作処理装置は、指紋情報を記憶する指紋記憶手段と、操作面から、操作面を操作した指の指紋情報を読み取る読み取り手段と、読み取り手段が指紋情報を読み取る都度、読み取り手段が読み取った指紋情報、および指紋記憶手段に記憶されている指紋情報が一致しているか否かを判定する一致判定手段とを備えることとしている。特許文献１に開示の操作処理装置は、一致判定手段が一致していると判定した場合に、処理手段による処理を実行するようにしている。
【先行技術文献】
【特許文献】
【０００５】
【特許文献１】特開２００９−１３４６３８号公報
【発明の概要】
【発明が解決しようとする課題】
【０００６】
特許文献１によると、ユーザーがタッチパネルを押下して操作する度に、ユーザーの指紋の情報を読み取ることとしている。そして、読み取った指紋の情報と記憶された指紋の情報とを比較して、ログインしたユーザーであるか否かを判断することとしている。また、指紋の情報によりログインしたユーザーではないと判断すれば、ログアウトされることとなる。
【０００７】
しかし、このような構成であると、別のユーザーが所定の機能を選択して処理を行う場合に、ログインをし直す必要がある。すなわち、ログインするユーザーを切り替える必要があり、ユーザーの作業が煩雑になるおそれがある。一方、機能を選択させる際にユーザーの特定を行わなければ、ユーザー毎に許可される機能を制限したい場合に、対応することができない。
【０００８】
この発明の目的は、ユーザー毎に許可される機能を効率的に制限することができ、ユーザーの作業が煩雑になるおそれを低減することができる機能選択装置を提供することである。
【０００９】
この発明の他の目的は、ユーザー毎に許可される機能を効率的に制限することができ、ユーザーの作業が煩雑になるおそれを低減することができる画像処理装置を提供することである。
【課題を解決するための手段】
【００１０】
この発明の一つの局面においては、機能選択装置は、表示部と、選択部と、押下部と、指紋情報読み取り部と、判断部と、制御部と、報知部とを備える。表示部は、操作対象となる複数の機能を表示する。選択部は、表示部に表示された複数の機能のうちの少なくともいずれか一つをユーザーに選択させる。押下部は、選択部による機能の選択と共に、ユーザーの指を押下させる。指紋情報読み取り部は、押下部により押下されたユーザーの指から指紋の情報を読み取る。判断部は、指紋情報読み取り部により読み取られた指紋の情報から、機能の操作が許可されたユーザーか否かを判断する。制御部は、判断部により、機能の操作が許可されたユーザーであると判断されれば、選択部により選択された機能の操作を許可するよう制御する。報知部は、判断部により、前記機能の操作が許可されたユーザーでないと判断されれば、その旨を報知すると共に、前記機能の操作が許可されているユーザーの名前を報知する。
【００１１】
この発明の他の局面においては、画像処理装置は、画像処理部と、表示部と、選択部と、押下部と、指紋情報読み取り部と、判断部と、制御部と、報知部とを備える。画像処理部は、画像を処理する。表示部は、画像処理部による操作対象となる複数の機能を表示する。選択部は、表示部に表示された複数の機能のうちの少なくともいずれか一つをユーザーに選択させる。押下部は、選択部による機能の選択と共に、ユーザーの指を押下させる。指紋情報読み取り部は、押下部により押下されたユーザーの指から指紋の情報を読み取る。判断部は、指紋情報読み取り部により読み取った指紋の情報から、機能の操作が許可されたユーザーか否かを判断する。制御部は、判断部により、機能の操作が許可されたユーザーであると判断されれば、選択部により選択された機能の操作を許可するよう制御する。報知部は、判断部により、前記機能の操作が許可されたユーザーでないと判断されれば、その旨を報知すると共に、前記機能の操作が許可されているユーザーの名前を報知する。
【発明の効果】
【００１２】
このような機能選択装置によると、ユーザーに操作対象となる複数の機能のうちの少なくともいずれか一つを選択させると共に、ユーザーの指紋の情報を読み取る。そして、読み取ったユーザーの指紋の情報から、選択された機能の操作が許可されているか否かを判断する。許可されていると判断されれば、選択された機能を操作させるよう制御する。そうすると、いわゆるログイン画面による入力を行うことなく、機能が選択された際に、ユーザー毎に許可される機能を制限することができる。この場合、ユーザーの指紋の情報によりユーザーの特定を行っているため、より確実なユーザーの認証を行うことができる。したがって、このような機能選択装置は、ユーザー毎に許可される機能を効率的に制限することができ、ユーザーの作業が煩雑になるおそれを低減することができる。
【００１３】
また、このような画像処理装置によると、ユーザーに操作対象となる画像処理の複数の機能のうちの少なくともいずれか一つを選択させると共に、ユーザーの指紋の情報を読み取る。そして、読み取ったユーザーの指紋の情報から、選択された機能の操作が許可されているか否かを判断する。許可されていると判断されれば、選択された機能を操作させるよう制御する。そうすると、いわゆるログイン画面による入力を行うことなく、機能が選択された際に、ユーザー毎に許可される機能を制限することができる。この場合、ユーザーの指紋の情報によりユーザーの特定を行っているため、より確実なユーザーの認証を行うことができる。したがって、このような画像処理装置は、ユーザー毎に許可される機能を効率的に制限することができ、ユーザーの作業が煩雑になるおそれを低減することができる。
【図面の簡単な説明】
【００１４】
【図１】この発明の一実施形態に係る画像処理装置をデジタル複合機に適用した場合のデジタル複合機の外観を示す概略斜視図である。
【図２】図１に示すデジタル複合機の構成を示すブロック図である。
【図３】デジタル複合機に備えられる操作部の概略的な構成を示す外観図である。
【図４】デジタル複合機に備えられるハードディスクに格納されたデータの内容を示す概念図である。
【図５】デジタル複合機を用いてコピーをする場合の処理の流れを示すフローチャートである。
【図６】機能を選択させる場合のタッチパネルに表示された表示画面の一例を示す図である。
【図７】許可された機能の内容を設定させる場合のタッチパネルに表示された表示画面の一例を示す図である。
【図８】許可されていない機能が選択された場合のタッチパネルに表示された表示画面の一例を示す図である。
【図９】この発明の他の実施形態に係るデジタル複合機に備えられ、許可されている機能が表示された場合のタッチパネルに表示された表示画面の一例を示す図である。
【図１０】この発明のさらに他の実施形態に係るデジタル複合機に備えられる操作部の概略的な構成を示す外観図である。
【発明を実施するための形態】
【００１５】
以下、この発明の実施の形態を説明する。図１は、この発明の一実施形態に係る画像処理装置をデジタル複合機に適用した場合のデジタル複合機の外観を示す概略図である。図２は、この発明の一実施形態に係る画像処理装置をデジタル複合機に適用した場合のデジタル複合機の構成を示すブロック図である。
【００１６】
図１および図２を参照して、デジタル複合機１１は、デジタル複合機１１全体の制御を行う制御部１２と、デジタル複合機１１側から発信する情報やユーザーの入力内容を表示する表示部としてのタッチパネル２１を含み、印刷部数や階調性等の画像形成の条件や電源のオンまたはオフを入力させる操作部１３と、セットされた原稿を自動的に読み取り位置へ搬送するＡＤＦ（Ａｕｔｏ  Ｄｏｃｕｍｅｎｔ  Ｆｅｅｄｅｒ）２２を含み、原稿や印刷物の画像を読み取る画像読み取り部１４と、トナーを用いて現像を行う現像装置２３を含み、読み取った画像やネットワーク２５を介して送信された画像データを基に画像を形成する画像形成部１５と、送信された画像データや入力された画像形成条件等の格納を行う格納部としてのハードディスク１６と、公衆回線２４に接続されており、ファクシミリ送信やファクシミリ受信を行うファクシミリ通信部１７と、ネットワーク２５と接続するためのネットワークインターフェース部１８とを備える。なお、デジタル複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。
【００１７】
デジタル複合機１１は、画像読み取り部１４により読み取られた原稿を用いて画像形成部１５において画像を形成することにより、複写機として作動する。また、デジタル複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。また、デジタル複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。すなわち、デジタル複合機１１は、画像処理に関し、複写機能、すなわち、コピー機能、プリンター機能、ファクシミリ機能等、複数の機能を有する。さらに、各機能に対しても、詳細に設定可能な機能を有する。
【００１８】
デジタル複合機１１を含む画像処理システム２７は、上記した構成のデジタル複合機１１と、ネットワーク２５を介してデジタル複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、デジタル複合機１１に対して、ネットワーク２５を介して印刷要求を行って印刷をすることができる。デジタル複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他のデジタル複合機やサーバーが接続されている構成でもよい。
【００１９】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号を入力させるテンキー３１と、印刷の開始やファクシミリ送信の開始を指示させるスタートキー３２と、デジタル複合機１１の電源のオンまたはオフを入力させる電源キー３３と、デジタル複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記したタッチパネル２１とを含む。
【００２０】
タッチパネル２１は、液晶のタッチパネル機能を有している。すなわち、ユーザーの指での押下等により、タッチパネル２１からも画像形成条件等を入力させることができると共に、表示された複数の機能に該当する領域をタッチさせて機能を選択させることができる。ここで、タッチパネル２１は、表示された複数の機能のうちの少なくともいずれか一つを選択させる選択部２８を含む。
【００２１】
タッチパネル２１は、ユーザーの指によりタッチされた領域において、ユーザーの指紋の情報を読み取ることができる。タッチパネル２１は、押下された領域において、指紋の情報を読み取る。ここで、タッチパネル２１等は、選択部２８による機能の選択と共に、ユーザーの指を押下させる押下部２９、および押下されたユーザーの指から指紋の情報を読み取る指紋情報読み取り部１９として作動する。なお、指紋の情報については、例えば、指紋のパターン等が含まれるものである。
【００２２】
次に、デジタル複合機１１に備えられるハードディスク１６に格納されたデータの内容について説明する。図４は、デジタル複合機１１に備えられるハードディスク１６に格納されたデータの内容を示す概念図である。
【００２３】
図４を参照して、ハードディスク１６には、ユーザーの指紋の情報が格納される格納領域４１ａと、ユーザーの権限の情報が格納される格納領域４１ｂとが割り当てられている。格納領域４１ａには、ユーザーＸの指紋の情報４２ａと、ユーザーＹの指紋の情報４２ｂと、他のユーザーの指紋の情報とが格納されている。
【００２４】
格納領域４１ｂには、ユーザー毎に許可された機能の情報４３ａ、４３ｂが格納されている。具体的には、ユーザーＸは、デジタル複合機１１における「コピー」、および「ファクシミリ送信」の機能を使うことは許可されているが、「スキャン」の機能を使うことは許可されていないという情報４３ａである。また、ユーザーＹは、デジタル複合機１１における「スキャン」、および「ファクシミリ送信」の機能を使うことは許可されているが、「コピー」の機能を使うことは許可されていないという情報４３ｂである。格納領域４１ｂには、テーブルの形式で情報４３ａ、４３ｂが格納されているが、情報４３ａ、４３ｂの格納の方法については、他の方法であってもよい。もちろん、格納領域４１ａ、４１ｂに格納された情報４２ａ、４２ｂ、４３ａ、４３ｂの内容については、変更や追加、削除が可能である。
【００２５】
次に、この発明の一実施形態に係るデジタル複合機１１を用いて、ユーザーＸがコピーをする場合について説明する。図５は、この発明の一実施形態に係るデジタル複合機１１を用いてコピーをする場合の処理の流れを示すフローチャートである。
【００２６】
図５を参照して、まず、ユーザーＸは、コピーをするために読み取らせる原稿をＡＤＦ２２にセットする。デジタル複合機１１は、原稿がセットされたことを検知すると、ユーザーＸに機能を選択させる表示画面をタッチパネル２１に表示する（図５において、ステップＳ１１、以下、「ステップ」を省略する）。
【００２７】
図６は、ユーザーＸに機能を選択させる際にタッチパネル２１に表示された表示画面の一例を示す図である。図６を参照して、タッチパネル２１には、「機能の選択画面」との表示４６と、「使用する機能を選択してください。」とのメッセージ４７と、「コピー」と表記され、押下によりコピーの機能を選択させる選択キー４８ａと、「スキャン」と表記され、押下によりスキャン、すなわち、画像読み取り部１４による画像の読み取りの機能を選択させる選択キー４８ｂと、「ファクシミリ送信」と表記され、押下によりファクシミリ通信部１７におけるファクシミリ送信の機能を選択させる選択キー４８ｃと、「その他」と表記され、押下により「コピー」、「スキャン」、および「ファクシミリ送信」以外の機能を選択させる画面を表示させる選択キー４８ｄと、「戻る」と表記され、押下により前の画面を表示させる選択キー４９とが表示されている。タッチパネル２１は、複数の機能を、異なる領域に分けて表示している
【００２８】
ユーザーＸは、要求に応じて、使用する機能に該当する選択キー４８ａ〜４８ｄを押下する。操作部１３のタッチパネル２１は、選択キー４８ａ〜４８ｄ、４９のいずれかの押下を検知する（Ｓ１２）。この場合、ユーザーＸにより、「コピー」の選択キー４８ａが押下されたとする。
【００２９】
タッチパネル２１は、各機能を選択させる選択キー４８ａ〜４８ｄがユーザーに押下された際に、指紋情報読み取り部によりユーザーの指紋の情報を読み取る（Ｓ１３）。ここでは、タッチパネル２１により、選択キー４８ａが押下された際に、選択キー４８ａの押下の検知と共に、ユーザーＸの指紋の情報を読み取る。
【００３０】
指紋の情報を読み取った後、デジタル複合機１１は、読み取った指紋の情報から、コピー機能の選択キー４８ａを押下したユーザーがどのユーザーかを特定する（Ｓ１４）。この場合、指紋情報読み取り部により読み取った指紋の情報と、ハードディスク１６の格納領域４１ａに格納されている複数のユーザーの指紋の情報とを比較し、指紋情報読み取り部により読み取った指紋の情報と、ハードディスク１６の格納領域４１ａに格納されている複数のユーザーの指紋の情報とが一致するか否かにより判断する。そして、読み取ったユーザーの指紋の情報が、格納領域４１ａに格納されているかユーザーＸの指紋の情報と照合することを確認して、選択キー４８ａを押下したユーザーがユーザーＸであると判断する。
【００３１】
次に、選択キー４８ａを押下したユーザーＸが、選択された機能を許可されたユーザーであるか否かが判断される（Ｓ１５）。ここで、制御部１２等は、判断部として作動する。この場合、制御部１２等は、ユーザーＸについて、コピー機能の選択を許可されているか否かを判断する。具体的には、格納領域４１ｂに格納された情報から、ユーザーＸがコピー機能を使用することを許可されていると判断される（Ｓ１５において、ＹＥＳ）。
【００３２】
そして、デジタル複合機１１による「コピー」の機能の操作を許可される（Ｓ１６）。すなわち、操作部１３のタッチパネル２１について、より詳細なコピーの設定をさせる表示画面に移行する。
【００３３】
図７は、この場合におけるタッチパネル２１に表示された表示画面の一例を示す図である。図７を参照して、タッチパネル２１には、「コピー設定」との表示５１と、「コピーできます。」とのメッセージ５２と、「白黒」と表記され、モノクロの画像形成が設定されている状態を示す設定５３ａと、「１００％」と表記され、読み取った画像に対して拡大、縮小を行わず１００％の大きさでの画像形成が設定されている状態を示す設定５３ｂと、「普通紙」と表記され、画像形成に用いる用紙が普通紙として設定されている状態を示す設定５３ｃと、「１」と表記され、設定されている画像形成の枚数を示す設定５３ｄとが表示されている。また、タッチパネル２１には、「カラー選択」と表記され、画像形成を行う際に、カラーを選択するか否かを選択させる選択キー５４ａと、「倍率」と表記され、形成する画像の倍率を設定させる選択キー５４ｂと、「用紙選択」と表記され、画像を形成する用紙を選択させる選択キー５４ｃと、「原稿の種類」と表記され、読み取る原稿が写真画像か文字画像かといった原稿の種類を選択させる選択キー５４ｄと、「仕上げ」と表記され、形成する画像の仕上げの状態を設定させる選択キー５４ｅと、「両面」と表記され、形成する画像を両面で印刷するか否かを選択させる選択キー５４ｆと、「濃度」と表記され、形成する画像の濃度を選択させる選択キー５４ｇと、「その他」と表記され、その他の設定を選択させる選択キー５４ｈとが表示されている。
【００３４】
ユーザーＸは、図７に示すタッチパネル２１を介して、コピーを行う際に、コピー機能の種々の詳細な選択および詳細な設定を行う。そして、スタートキー３２を押下する。デジタル複合機１１は、スタートキー３２の押下を検知して、ＡＤＦ２２により画像読み取り部１４にセットされた原稿を搬送する。そして、画像読み取り部１４により読み取った画像を基に主に画像形成部１５によりコピーを実行する。そして、処理を終了する。
【００３５】
次に、ユーザーＸが「スキャン」の選択キー４８ｂを押下した場合について説明する。再び図５を参照して、ユーザーＸが原稿をＡＤＦ２２にセットする。そうすると原稿のセットをデジタル複合機１１が検知すると、デジタル複合機１１は、図６に示すタッチパネル２１を表示する。
【００３６】
ユーザーＸは、「スキャン」の機能を選択するため、選択キー４８ｂを押下する。そうすると、デジタル複合機１１は、選択キー４８ｂの押下を検知し（Ｓ１２）、タッチパネル２１からユーザーＸの指紋を読み取る（Ｓ１３）。
【００３７】
その後、読み取った指紋の情報から、格納領域４１ａに格納されたユーザーＸの指紋の情報を参照し、ユーザーＸによる選択キー４８ｂの押下であると判断する。すなわち、選択キー４８ｂを押下したユーザーＸを特定する（Ｓ１４）。
【００３８】
次に、格納領域４１ｂを参照して、ユーザーＸが「スキャン」の機能を許可されているか否かを判断する（Ｓ１５）。
【００３９】
ここで、格納領域４１ｂに格納された情報によると、ユーザーＸは、「コピー」および「ファクシミリ送信」の機能は許可されているものの、「スキャン」の機能は許可されていない。したがって、ユーザーＸによる「スキャン」の機能の使用は、不許可であると判断する（Ｓ１５において、ＮＯ）。
【００４０】
その後、デジタル複合機１１は、選択された機能が許可されていないことを報知する。この場合、タッチパネル２１に、選択された機能が許可されていない旨が表示される（Ｓ１７）。図８は、この場合のタッチパネル２１に表示される表示画面の一例を示す図である。
【００４１】
図８を参照して、タッチパネル２１には、「選択された機能は、許可されておりません。」との表示５６と、「戻る」と表記され、押下により前の画面を表示させる選択キー５７とが表示される。ユーザーＸは、この表示画面を見て、「スキャン」機能が許可されていないことを知る。そして、前の画面に戻って、他の機能を選択して処理を行う。
【００４２】
このようなデジタル複合機１１によると、ユーザーに操作対象となる画像処理の機能を選択させると共に、ユーザーの指紋の情報を読み取る。そして、読み取ったユーザーの指紋の情報から、選択された機能の操作が許可されているか否かを判断する。許可されていると判断されれば、選択された機能を操作させるよう制御する。そうすると、いわゆるログイン画面による入力を行うことなく、機能が選択された際に、ユーザー毎に許可される機能を制限することができる。この場合、ユーザーの指紋の情報によりユーザーの特定を行っているため、より確実なユーザーの認証を行うことができる。したがって、このようなデジタル複合機１１は、ユーザー毎に許可される機能を効率的に制限することができ、ユーザーの作業が煩雑になるおそれを低減することができる。
【００４３】
この場合、機能の操作を許可されたユーザーでないと判断されれば、ユーザーによる機能の選択が不許可である旨がタッチパネル２１に表示されているため、視覚を通じて、不許可である旨を認識することができる。
【００４４】
また、この場合、タッチパネル２１は、複数の機能を異なる領域に分けて表示しているため、機能の選択をより容易に行うことができる。
【００４５】
なお、上記の実施の形態において、ユーザーの指紋の情報をハードディスク１６に格納し、読み取った指紋の情報とハードディスク１６に格納された指紋の情報とが一致するか否かにより、機能が許可されたユーザーが否かを判断することにしたが、これに限らず、他の記憶媒体に格納された指紋の情報を用いて一致するか否かを判断することにしてもよい。
【００４６】
なお、上記の実施の形態においては、不許可である旨をタッチパネル２１に表示することとしたが、これに限らず、不許可である旨について、音声等を通じて、聴覚により報知することにしてもよい。また、不許可である旨の表示と共に、音声により報知することにしてもよい。さらには、不許可であると判断すれば、タッチパネル２１において、他の許可されている機能を報知することにしてもよい。
【００４７】
図９は、この場合のタッチパネル２１に表示された表示画面の一例を示す図である。図９を参照して、タッチパネル２１に表示された表示画面には、図８に示す「選択された機能は、許可されておりません。」との表示５６、および「戻る」と表記され、押下により前の画面を表示させる選択キー５７の表示と共に、「選択が許可された機能は、以下です。」とのメッセージ５８と、選択が許可された機能であり、「コピー」と表記され、画像読み取り部１４による画像の読み取りの機能を選択させる選択キー５９ａと、「ファクシミリ送信」と表記され、押下によりファクシミリ通信部１７におけるファクシミリ送信の機能を選択させる選択キー５９ｂと、「その他」と表記され、押下により「コピー」、「スキャン」、および「ファクシミリ送信」以外の機能を選択させる画面を表示させる選択キー５９ｃとが表示される。ユーザーＸは、これらの選択キー５９ａ〜５９ｃの表示により、ユーザーＸが許可されている機能を認識することができる。そして、ユーザーＸが、表示された許可されている機能を使用したい場合に、選択キー５９ａ〜５９ｃを押下して、選択した機能の操作をすることができる。
【００４８】
また、上記の実施の形態においては、タッチパネルにおいて、指紋の情報を読み取ることとしたが、これに限らず、タッチパネル以外の部分で、指紋の情報を読み取ることにしてもよい。
【００４９】
図１０は、この場合の操作部３７の一例を示す図である。図１０を参照して、操作部３７は、上記した図３に示すように、テンキー３１、スタートキー３２、電源キー３３、メニューキー３４、登録キー３５、リセットキー３６、およびタッチパネル２１を含む。操作部３７は、スタートキー３２と電源キー３３との間に配置され、ユーザーの指紋の情報を読み取ることが可能な指紋情報読み取り部３８を備える。指紋情報読み取り部３８は、その上にユーザーの指が置かれた場合において、ユーザーの指紋の情報を読み取ることができる。指紋情報読み取り部３８における指紋の読み取り領域は、図１０中のハッチングで示している。
【００５０】
ユーザーは、タッチパネル２１において、操作対象となる機能を選択した後、指紋情報読み取り部３８上に指を置き、指紋の情報を読み取らせる。デジタル複合機１１は、指紋情報読み取り部３８により指紋の情報を読み取る。そして、読み取った指紋の情報により特定されるユーザーが、選択した機能を許可されているか否かを判断する。許可されたユーザーであれば、選択された機能の操作を許可し、許可されたユーザーでなければ、選択された機能の操作を許可せずに、処理を終了する。このように構成してもよい。
【００５１】
なお、上記の実施の形態においては、不許可である旨、すなわち、選択された機能が許可されていない旨を報知することとしたが、例えば、この報知と共に、選択された機能が許可されているユーザーの名前等を報知することにしてもよい。例えば、上記した場合において、ユーザーＸが「スキャン」の機能を選択した場合、「スキャン」の機能が許可されているユーザーＹの名前をタッチパネルの表示画面に表示するようにしてもよい。
【００５２】
また、上記の実施の形態において、複数の機能を、異なる領域に分けて表示することとしたが、これに限らず、複数の機能について、例えば、時間を隔てて、同じ領域で表示することにしてもよい。
【００５３】
なお、上記の実施の形態においては、デジタル複合機としての画像処理装置における機能の選択の場合について説明したが、これに限らず、スマートフォンや、タブレット端末等の端末装置のような機能選択装置において、上記構成を備えることとしてもよい。
【００５４】
すなわち、機能選択装置は、表示部と、選択部と、押下部と、指紋情報読み取り部と、判断部と、制御部とを備える。表示部は、操作対象となる複数の機能を表示する。選択部は、表示部に表示された複数の機能のうちの少なくともいずれか一つをユーザーに選択させる。押下部は、選択部による機能の選択と共に、ユーザーの指を押下させる。指紋情報読み取り部は、押下部により押下されたユーザーの指から指紋の情報を読み取る。判断部は、指紋情報読み取り部により読み取られた指紋の情報から、機能の操作が許可されたユーザーか否かを判断する。制御部は、判断部により、機能の操作が許可されたユーザーであると判断されれば、選択部により選択された機能の操作を許可するよう制御する。
【００５５】
このような機能選択装置によると、ユーザーに操作対象となる機能を選択させると共に、ユーザーの指紋の情報を読み取る。そして、読み取ったユーザーの指紋の情報から、選択された機能の操作が許可されているか否かを判断する。許可されていると判断されれば、選択された機能を操作させるよう制御する。そうすると、いわゆるログイン画面による入力を行うことなく、機能が選択された際に、ユーザー毎に許可される機能を制限することができる。この場合、ユーザーの指紋の情報によりユーザーの特定を行っているため、より確実なユーザーの認証を行うことができる。したがって、このような機能選択装置は、ユーザー毎に許可される機能を効率的に制限することができ、ユーザーの作業が煩雑になるおそれを低減することができる。
【００５６】
すなわち、例えば、スマートフォンの場合、通話や電子メールなどの機能の操作については、幼児や子供といったユーザーに対して、指紋の情報の登録と共に、機能の使用を不許可とするよう設定する。そして、動画の閲覧の機能やゲーム機能については、機能の使用を許可とするよう設定する。そうすると、通話や電子メールの機能の選択キーを幼児が誤って押下した場合に、ユーザーを認識して、機能の選択を不許可として、迷惑な電話や電子メールの誤送信といった事態を回避することができる。この場合、幼児に手渡してゲーム機能を用いて遊ばせる場合に、ユーザーの切り替えといった作業を発生させることがなく、スマートフォンを持つユーザーにとって利便性のよいものとなる。
【００５７】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５８】
この発明に係る機能選択装置、および画像処理装置は、ユーザー毎に許可される機能を効率的に制限することができると共に、ユーザーの作業が煩雑になるおそれを低減することが要求される場合に、特に有効に利用される。
【符号の説明】
【００５９】
１１  デジタル複合機、１２  制御部、１３，３７  操作部、１４  画像読み取り部、１５  画像形成部、１６  ハードディスク、１７  ファクシミリ通信部、１８  ネットワークインターフェース部、１９，３８  指紋情報読み取り部、２１  タッチパネル、２２  ＡＤＦ、２３  現像装置、２４  公衆回線、２５  ネットワーク、２６ａ，２６ｂ，２６ｃ  コンピューター、２７  画像処理システム、２８  選択部、２９  押下部、３１  テンキー、３２  スタートキー、３３  電源キー、３４  メニューキー、３５  登録キー、３６  リセットキー、４１ａ，４１ｂ  格納領域、４２ａ，４２ｂ，４３ａ，４３ｂ  情報、４６，５１，５６  表示、４７，５２，５７，５８  メッセージ、４８ａ，４８ｂ，４８ｃ，４８ｄ，４９，５４ａ，５４ｂ，５４ｃ，５４ｄ，５４ｅ，５４ｆ，５４ｇ，５４ｈ，５９ａ，５９ｂ，５９ｃ  選択キー、５３ａ，５３ｂ，５３ｃ，５３ｄ  設定。
【図１】
0006314815.tif 000002
【図２】
0006314815.tif 000003
【図３】
0006314815.tif 000004
【図４】
0006314815.tif 000005
【図５】
0006314815.tif 000006
【図６】
0006314815.tif 000007
【図７】
0006314815.tif 000008
【図８】
0006314815.tif 000009
【図９】
0006314815.tif 000010
【図１０】
0006314815.tif 000011